(57)【要約】表示価格であって、貴金属または準貴金属要素などのような少なくとも１つの分離小片（１９）をもつ中央透明部（１８）を有するカジノチップ（２２）。振られたとき、プレイヤーに対して、対のダイスのガラガラ音をまねる。
2004515325.tif 000002
【特許請求の範囲】
【請求項１】
相互に連結する外周壁と共に上部および下部の面を有する略環状体形状の本体部であって、内周壁によって囲まれる中空中心部を有する前記本体部と、
前記中心部内の略中心に固定的に設置される中空室であって、前記内周壁と透明材料の上部および下部の壁とによって囲まれる前記中空室と、
前記中空の密閉室内に自由に設置される少なくとも１つの分離小片であって、前記チップが振られたときに、前記小片が前記中空の密閉室の壁に接触してガラガラ音を与える前記小片と、
を含むカジノチップ。
【請求項２】
前記小片は金塊である請求項１に記載のチップ。
【請求項３】
前記小片は貴金属である請求項１に記載のチップ。
【請求項４】
前記小片は準貴金属である請求項１に記載のチップ。
【請求項５】
前記室内に複数の分離した小片が配置される請求項１に記載のチップ。
【請求項６】
前記チップに記録物が配置される請求項１に記載のチップ。
【請求項７】
前記中空の密閉室は、前記室を囲みかつそれに封止される前記本体部の内部に固定される環状リムによって、前記本体部内に配置される請求項１に記載のチップ。
【請求項８】
前記リムは金属材料のものである請求項１に記載のチップ。
【請求項９】
前記中空の密閉室はプラスチックのものである請求項１に記載のチップ。
【請求項１０】
前記中空の密閉室は、互いに密閉される２つの伸縮部で形成される請求項１に記載のチップ。
【発明の詳細な説明】
【０００１】
（発明の背景）
１．発明の分野：
本発明は、カジノチップに関し、さらに詳しくは、少なくとも１つの分離小片をもつ透明中央部を有するカジノチップに関し、その小片はチップが振られたときにガタガタ音を立てまたは動く。
【０００２】
（関連技術）
異なる価値のカジノチップはよく知られている。このようなチップは、通常、丸くかつ所定の直径と厚みをもつ。それらは、一般に、その上に、チップの価値を示す記録やエンボス加工された印を有する。
【０００３】
一般に、カジノチップはカジノによって発行されて、そこで使用されることが目的とされる。何人かのプレイヤーは、そのようなチップを記念として持ち続けることを望む。もしも、それらがカジノの外において価値をもつならば、彼らは、そのようなチップを記念として持ち続ける傾向が強いであろう。
【０００４】
また、ギャンブラーはよく縁起をかつぐ。例えば、カジノのクラップステーブルを見つめる者は、ダイスの転がしに前にそれらに一緒にガラガラ音をたてるべく、ダイスのローラーが彼のまたは彼女の手の中でダイスを振るところを見るであろう。
【０００５】
カジノチップには、カジノの中におけるチップとカジノの外における記念としての価値の両方の必要性がある。さらに、カジノチップには、ラッキーピースなどとしてギャンブラーに用いられる必要性もある。
【０００６】
（発明の概要）
本発明の目的は、振られたときにガラガラ音つまりノイズをつくったり動いて、ギャンブラーに刺激を引き起こすカジノチップを提供することにある。
【０００７】
本発明の更なる目的は、それが使用されるカジノ内でのそれ自体の価値だけではなく、カジノチップに価値を付加して、カジノのイメージを高めることにある。
【０００８】
本発明の更なる目的は、カジノのお客が記念として持ち続けることを望み、よってカジノに対価を与えるカジノチップを提供することにある。
【０００９】
これら及び他の目的は、表示価格であって、貴金属または準貴金属、あるいは他の移動要素などのような少なくとも１つの分離小片をもつ中央透明部を有するカジノチップを提供することによって望ましく達成される。振られたときに、チップはプレイヤーを刺激する。
【００１０】
（発明の好適な実施例）
いま、本発明の図１を参照するに、本発明の教示に基づくカジノチップ１０が示される。チップ１０は、一般に、一体外周側壁１５と共に、上部円形面１１と下部円形面１２（図２）とを有する円筒型である。図１にて分かるように、エンボス加工またはプリントされる印１３は、チップ１０の上面に付与される。このような印１３は、プラスチックまたは金属の保持リム１６を囲む本体１４（図２参照）に付与され、また保持リム１６は、検討されることになるように、透明中央室１８の内容物に関係する情報を表すために、その上に浮き彫りまたはエンボス加工またはプリントされる印１７を有してもよい。
【００１１】
中央室１８は、プラスチックのような適当な硬い透明材料のいずれであってもよく、これにより内側内容物は、チップ１０の両側の観察者から見ることができる。室１８は、接着または超音波封止などのような適当ないずれかの方法によって、リム６に接合してもよい。同様に、リム１６は本体部１４に接合される。
【００１２】
本発明において詳しく熟考されるように、分離小片１９は室１８内に封止されて、その中に自由に配置される。本発明の好適な実施例において、小片１９は、容易に評価できる価値をもつ本物の金塊である。例えば、チップ１０が５０ドルのカジノプレイ価値をもつならば、塊１９は対応する価値、つまりチップの額面に伴って変化するであろういくらかの公称価値をもってもよい。
【００１３】
単一の分離小片１９が図１および２に示されるが、図１，２の実施例と同様の部分には同じ符号を付した図３から分かるように、小片２０，２１のような複数の分離小片１９を室１８内に備えてもよい。このような小片は、さらに金塊、または他の移動商品であってもよい。
【００１４】
２つだけの小片が図３に示されているが、当然、そのような小片を３つ以上のように複数備えてもよい。さらに、金の小片が好まれるが、銀、金箔師の金板（ｇｏｌｄｂｅａｔｅｒｓ ｓｈｅｅｔ ｇｏｌｄ）のような適当な貴金属（ｐｒｅｃｉｏｕｓ）または準金属（ｓｅｍｉ−ｐｒｅｃｉｏｕｓ）または他の物質、はんだ付けされた本物の金付きの真鍮（ｂｒａｓｓ ｗｉｔｈ ｒｅａｌ ｇｏｌｄ ｓｏｌｄｅｒｅｄ ｔｈｅｒｅｔｏ）などのような金属インサート（ｍｅｔａｌ ｉｎｓｅｒｔ）、その他を用いてもよい。
【００１５】
全ての場合において、プレイヤーがチップ１０を振ったときに、塊（ｎｕｇｇｅｔ）１９は、対のダイスがたてる音（ｃｌａｃｋｉｎｇ）にそっくりのガラガラ音をたてる（ｒａｔｔｌｅ）であろう。そして、プレイヤーは、縁起のためにチップ１０を振ってから、ゲームに対する面白みと刺激を添えそれを賭けることができる。
【００１６】
リム１６と室１８は半円筒型（ｓｅｍｉ−ｃｙｌｉｎｄｒｉｃａｌ）として開示されているが、当然、いくつかの適当な構成を用いてもよい。また、リム１６は除いてもよく、またチップ１０は中央室をもつ本体部のみを有してもよい。これは図４に示され、チップ２２は、中央室２４をもつ環状体形状の本体部２３を有し、中央室２４は、本体部２３に封止さもなければ固定されて、その中に図１および２の分離小片１９（または図３の複数の小片２０，２１）を有する。さらに、チップ２２は、図１に示されるものに似た印を備えてもよい。
【００１７】
本体部１４、リム１６および室１８は、その技術において知られたいくつかの適当な方法によって形成することができる。例えば、図５および６から分かるように、室１８，２４は、プラスチックのような硬く透明な材料であって、２つに分離した伸縮部２５および２６の形状としてもよく、それは図６におけるように互いに伸縮しかつ密閉されて、室１８および２４と一致する中央室２７を形成する。密閉手段は、接着剤、音シール（ｓｏｎｉｃ ｓｅａｌ）、その他である。部分２５は、下方に延在する一体の側壁２９付きの上部円形壁２８を有し、これに対して、部分２６は、上方に延在する一体の側壁３１付きの底部円形壁３０を有する。壁２９は、外径が壁３１よりも小さく、それらは図６のように互いに伸縮する。
【００１８】
チップが振られたときに、それが”ガラガラ音をたて（ｒａｔｔｌｅ）”てギャンブラーに刺激を引き起こすように、私が”騒がしい（ｎｏｉｓｙ）”チップを提供するカジノチップを開示したことは理解される。気付かれる”本物（ｒｅａｌ）”の価値がチップに付加されて、それを使用するカジノのイメージを高める。公衆は、記念としてチップを持ち続けることを望むので、それを使用するカジノにおいてそれを引き換える必要がなく、さらにカジノに対価を与える。
【００１９】
チップの室内に空気が満たされてもよいが、水、オイル等の何らかの流体、あるいはその他のものを用いてもよい。さらに、様々な小片を用いることができるが、大きさと形状は問題とされない。例えば、カジノはお客の写真を撮って、それを空気、オイル、水、などによって満たされた室内に密閉することができる。その写真は、室内にて浮き、または動くであろう。
【００２０】
本発明の具体的な実施例が開示されるが、それらの変形が業者に想起されるであろうし、また本発明の範囲は添付したクレームの範囲によってもっぱら制限されるべきである。
【図面の簡単な説明】
【図１】
本発明の教示に基づくカジノチップの平面図である。
【図２】
図１の２−２線に沿って断面した図である。
【図３】
本発明の他の実施例を示す図２と同様の図である。
【図４】
本発明に基づくチップの他の例を示す図２と同様の断面における側面視図である。
【図５】
図１から図４のチップの一部を形成するために用いられる対の伸縮部分の断面における側面図である。
【図６】
図５の部分の組み立て図である。
【図１】
2004515325.tif 000003
【図２】
2004515325.tif 000004
【図３】
2004515325.tif 000005
【図４】
2004515325.tif 000006
【図５】
2004515325.tif 000007
【図６】
2004515325.tif 000008
【国際公開パンフレット】
2004515325.tif 000009
2004515325.tif 000010
2004515325.tif 000011
2004515325.tif 000012
2004515325.tif 000013
2004515325.tif 000014
2004515325.tif 000015
2004515325.tif 000016
【国際調査報告】
2004515325.tif 000017